(57)【特許請求の範囲】
【請求項１】
貯氷庫に対して固定されたブラケットにソレノイドと回動自在の開閉扉を取り付け、ソレノイドのプランジャの進退動作により開閉扉を回動させて貯氷庫の氷放出口を選択的に開閉する氷放出機構部において、
ブラケットに揺動軸を備え、
ソレノイドをブラケットに対して揺動自在に揺動軸に取り付けたことを特徴とする貯氷庫の氷放出機構部。
【請求項２】
ソレノイドは揺動軸に沿って所定距離だけスライド自在に取り付けられている請求項１に記載の貯氷庫の氷放出機構部。
【請求項３】
プランジャの先端部と開閉扉とを接続するリンク部材と、
ブラケットに固定され且つプランジャの先端部とリンク部材とを連結する連結軸をスライド自在に支持する支持板と
を備え、前記所定距離は、連結軸に沿ったプランジャの可動距離以下である請求項２に記載の貯氷庫の氷放出機構部。
【請求項４】
プランジャは、リンク部材に連結される先端部の径が残りの部分の径より大きい請求項１〜３のいずれか一項に記載の貯氷庫の氷放出機構部。
【発明の詳細な説明】
【０００１】
【発明の属する技術分野】
この発明は、貯氷庫の氷放出機構部に係り、特に氷放出口の開閉扉を回動させるソレノイドの取り付け構造に関する。
【０００２】
【従来の技術】
製氷機の貯氷庫に設けられた従来の氷放出機構部の分解図を図６に示す。貯氷庫の外壁面に固定されたブラケット１にソレノイド２がネジ止めされている。ブラケット１の下端部には支点軸３を介して回動板４が回動自在に取り付けられ、貯氷庫に形成された氷放出口を閉塞するためのシールゴム板５が回動板４に固定されている。ソレノイド２のプランジャ６に連結軸７を介してリンク部材８の一端が接続され、リンク部材８の他端は移動軸９により回動板４に接続されている。連結軸７はブラケット１に固定された支持板１０の長孔１１に遊嵌され、スライド自在に支持されている。また、移動軸９には、シールゴム板５が氷放出口を閉塞するように回動板４を付勢するバネ１２が取り付けられている。
【０００３】
図７に組み立てられた氷放出機構部の一部破断正面図を示す。
図８に実線で示されるように、ソレノイド２のプランジャ６が伸張した状態では、バネ１２により回動板４が付勢されてシールゴム板５が氷放出口１３を閉塞している。二点鎖線で示されるようにソレノイド２のプランジャ６を収縮させると、リンク部材８を介して移動軸９が上方へ持ち上げられ、回動板４は支点軸３を中心として斜め上方へ回動される。これにより、シールゴム板５が氷放出口１３から離れ、氷放出口１３が開放されて貯氷庫内の氷が放出される。
【０００４】
【発明が解決しようとする課題】
しかしながら、従来は、プランジャ６の連結軸７をスライド自在に支持する支持板１０がブラケット１に溶接されると共にソレノイド２がブラケット１にネジ止めされていたため、溶接歪みや取付ガタに起因して、ブラケット１とソレノイド２との軸心ずれ、ソレノイド２とプランジャ６及びリンク部材８との軸心ずれ等が発生しやすくなっていた。一般に、ソレノイド２とプランジャ６のクリアランスは非常に厳しく形成されているので、これらの軸心ずれが生じると、プランジャ６の円滑な動作が妨げられ、ソレノイド２に過負荷が与えられることとなる。また、軸心ずれにより、各部材の摺接部位に大きな摩擦力が発生し、摩耗、かじり、錆付き等の不具合が生じる虞がある。
その結果、氷放出機構部の安定した動作が困難になったり、寿命が短くなるという問題点があった。
【０００５】
この発明はこのような問題点を解消するためになされたもので、安定した動作を行うことができると共に長寿命化を図ることができる貯氷庫の氷放出機構部を提供することを目的とする。
【０００６】
【課題を解決するための手段】
この発明に係る貯氷庫の氷放出機構部は、貯氷庫に対して固定されたブラケットにソレノイドと回動自在の開閉扉を取り付け、ソレノイドのプランジャの進退動作により開閉扉を回動させて貯氷庫の氷放出口を選択的に開閉する氷放出機構部において、ブラケットに揺動軸を備え、ソレノイドをブラケットに対して揺動自在に揺動軸に取り付けたものである。
【０００７】
なお、ソレノイドを揺動軸に沿って所定距離だけスライド自在に取り付けることができる。さらに、好ましくは、プランジャの先端部と開閉扉とを接続するリンク部材と、ブラケットに固定され且つプランジャの先端部とリンク部材とを連結する連結軸をスライド自在に支持する支持板とを備え、ソレノイドのスライドし得る所定距離を連結軸に沿ったプランジャの可動距離以下とする。
また、プランジャを、リンク部材に連結される先端部の径が残りの部分の径より大きくなるようにすることが好ましい。
【０００８】
【発明の実施の形態】
以下、この発明の実施の形態を添付図面に基づいて説明する。
図１にこの発明の実施の形態に係る貯氷庫の氷放出機構部の分解図を示す。貯氷庫の外壁面にブラケット２１がネジにより固定されている。ブラケット２１は、その上部に互いに対向する左右一対の腕部２２を有しており、これら腕部２２に揺動軸２３が挿通され固定されている。一対の腕部２２の間には、揺動軸２３によって揺動自在にソレノイド２４が取り付けられている。揺動軸２３はソレノイド２４に取り付けられた軸受け２５により支持され、ソレノイド２４と一対の腕部２２との間には、それぞれスペーサ２６が挿入されている。
【０００９】
ブラケット２１にはその下部に支持板２７が溶接されている。支持板２７は、互いに対向する左右一対の腕部２８を有し、各腕部２８に長孔２９が形成されている。これらの長孔２９に軸受け３０を介して連結軸３１が挿通されると共に連結軸３１に管形状の潤滑部材３２が被せられ、連結軸３１が潤滑部材３２と共に長孔２９に沿ってスライド自在に取り付けられている。一対の腕部２８の間において、連結軸３１及び潤滑部材３２はソレノイド２４のプランジャ３３とリンク部材３４の一端とを貫通し、これによりプランジャ３３とリンク部材３４とが互いに連結されている。
【００１０】
ブラケット２１の下端部には揺動軸２３と平行に支点軸（回動軸）３５が設けられ、この支点軸３５に軸受け３６を介して回動板３７が回動自在に取り付けられている。回動板３７には、貯氷庫に形成された氷放出口を閉塞するためのシールゴム板３８と当板３９が固定されており、これら回動板３７、シールゴム板３８及び当板３９により開閉扉が形成されている。支点軸３５には、シールゴム板３８が氷放出口を閉塞するように回動板３７を付勢するバネ４０が取り付けられている。回動板３７には、リンク部材３４の他端に設けられた移動軸４１が軸受け４２を介して挿通されており、これによってプランジャ３３がリンク部材３４を介して回動板３７に接続されている。
また、ブラケット２１には支持板２７の前部を覆うようにカバー部材４３が取り付けられている。
【００１１】
図２及び図３にそれぞれ組み立てられた氷放出機構部の一部破断正面図及び側面図を示す。
ソレノイド２４は、揺動軸２３を中心としてブラケット２１に対し前後方向に揺動自在に取り付けられている。このため、氷放出機構部を組み立てたときに、連結軸３１を介してリンク部材３４に連結されたプランジャ３３の軸心がブラケット２１に対して前後方向にずれた場合であっても、ソレノイド２４が揺動軸２３の回りに適宜揺動することにより、ソレノイド２４とプランジャ３３は自動的に調心されることとなる。従って、プランジャ３３を進退させる際にソレノイド２４に過負荷が掛かることが防止され、安定した動作を行うことができると共に機構部の長寿命化が図られる。
【００１２】
また、ソレノイド２４は揺動軸２３に沿ってスライドし得るようになっている。このため、氷放出機構部を組み立てたときに、プランジャ３３の軸心がブラケット２１に対して左右方向にずれた場合であっても、ソレノイド２４が揺動軸２３に沿って適宜スライドすることにより、ソレノイド２４とプランジャ３３は自動的に調心され、ソレノイド２４に過負荷が掛からないようになっている。
【００１３】
さらに、ソレノイド２４とブラケット２１の一対の腕部２２との間にそれぞれスペーサ２６を挿入することにより、ソレノイド２４の揺動軸２３に沿ったスライド可能な距離は、図２において左方へＡ１、右方へＡ２に制限されている。これらの距離Ａ１及びＡ２を、それぞれ支持板２７の一対の腕部２８の間における連結軸３１に沿ったプランジャ３３の左方への可動距離Ｂ１及び右方への可動距離Ｂ２以下に設定することが望ましい。このようにすれば、揺動軸２３に沿ってソレノイド２４がスライドしたときに、連結軸３１に沿ってスライドするプランジャ３３が支持板２７と擦れ合ってソレノイド２４に余計な負荷がかかることが防止される。なお、このとき、左右を併せたソレノイド２４のスライド可能な所定距離Ａ＝Ａ１＋Ａ２は、支持板２７における左右を併せたプランジャ３３の可動距離Ｂ＝Ｂ１＋Ｂ２以下となっている。
【００１４】
また、図４に示されるように、プランジャ３３を、リンク部材３４に連結される先端部の径Ｃが残りの部分すなわち本体部の径Ｄより大きくなるように形成することが好ましい。このようにすれば、揺動軸２３に沿ってソレノイド２４がスライドしたときに、プランジャ３３の本体部が支持板２７に乗り上げてしまうことが防止される。
【００１５】
図５にこの実施の形態に係る氷放出機構部が組み込まれた貯氷庫の一部断面図を示す。氷放出機構部の動作は図８で説明した従来の氷放出機構部の動作と同様である。すなわち、ソレノイド２４のプランジャ３３が伸張した状態では、バネ４０により回動板３７が付勢されてシールゴム板３８が貯氷庫の氷放出口を閉塞している。ソレノイド２４のプランジャ３３を収縮させると、リンク部材３４を介して移動軸４１が上方へ持ち上げられ、回動板３７は支点軸３５を中心として斜め上方へ回動される。これにより、シールゴム板３８が氷放出口から離れ、氷放出口が開放されて貯氷庫内の氷が放出され、供給口４４から供給される。
【００１６】
このようなプランジャ３３の進退動作に伴って揺動軸２３、連結軸３１、支点軸３５及び移動軸４１の回りを各部材が回動したり、連結軸３１が長孔２９内をスライドするが、各部材や連結軸３１にはそれぞれ軸受け２５、３０、３６及び４２が設けられているので、摺動性が向上し、動作が安定すると共に部材同士が擦れたり、部材と軸との間の擦れによる摩耗が軽減され、さらに機構部の長寿命化けが図られる。また、バネ４０の表面に潤滑剤をコーティングすれば、バネ４０の摩耗も軽減することができる。
【００１７】
【発明の効果】
以上説明したように、この発明によれば、ブラケットに揺動軸を設け、ソレノイドをブラケットに対して揺動自在に揺動軸に取り付けたので、氷放出機構部を組み立てたときにプランジャの軸心がずれた場合であっても、ソレノイドが揺動軸の回りに適宜揺動することにより、ソレノイドとプランジャは自動的に調心される。その結果、ソレノイドに過負荷が掛かることが防止され、安定した動作を行うことができると共に機構部の長寿命化を図ることができる。
【図面の簡単な説明】
【図１】  この発明の実施の形態に係る貯氷庫の氷放出機構部を示す分解図である。
【図２】  実施の形態に係る貯氷庫の氷放出機構部を示す一部破断正面図である。
【図３】  実施の形態に係る貯氷庫の氷放出機構部を示す側面図である。
【図４】  実施の形態で用いられたプランジャを示す図である。
【図５】  実施の形態に係る氷放出機構部が組み込まれた貯氷庫を示す一部断面図である。
【図６】  従来の貯氷庫の氷放出機構部を示す分解図である。
【図７】  図６の氷放出機構部を示す一部破断正面図である。
【図８】  図６の氷放出機構部の動作を示す側面図である。
【符号の説明】
２１  ブラケット、２２，２８  腕部、２３  揺動軸、２４  ソレノイド、２５，３０，３６，４２  軸受け、２６  スペーサ、２７  支持板、２９  長孔、３１  連結軸、３２  潤滑部材、３３  プランジャ、３４  リンク部材、３５  支点軸、３７  回動板、３８  シールゴム板、３９  当板、４０  バネ、４１  移動軸、４３  カバー部材。
【図１】
0003702204.tif 000002
【図２】
0003702204.tif 000003
【図３】
0003702204.tif 000004
【図４】
0003702204.tif 000005
【図５】
0003702204.tif 000006
【図６】
0003702204.tif 000007
【図７】
0003702204.tif 000008
【図８】
0003702204.tif 000009